(57)【要約】【課題】幕の駆動タイミングのバラつきを抑制するフォーカルプレーンシャッタ及びそれを備えた光学機器を提供することを課題とする。【解決手段】フォーカルプレーンシャッタは、開口を有した基板と、前記開口を開閉可能な幕と、可動鉄片を保持し揺動可能に支持され前記幕を駆動するための駆動レバーと、非通電状態で前記可動鉄片を所定の吸引力で吸着可能であり通電状態で前記吸引力が弱まる自己保持型ソレノイドと、前記自己保持型ソレノイドから前記可動鉄片が離れるように前記駆動レバーを付勢する付勢部材と、前記可動鉄片が前記自己保持型ソレノイドに当接するように前記駆動レバーを移動させるセット部材と、を備え、前記セット部材により前記駆動レバーが揺動させられ前記可動鉄片が前記自己保持型ソレノイドに当接する際に、前記自己保持型ソレノイドは通電されて前記吸引力が弱められる。【選択図】図７
2012118143.tif 000002
【特許請求の範囲】
【請求項１】
開口を有した基板と、
前記開口を開閉可能な幕と、
可動鉄片を保持し揺動可能に支持され前記幕を駆動するための駆動レバーと、
非通電状態で前記可動鉄片を所定の吸引力で吸着可能であり通電状態で前記吸引力が弱まる自己保持型ソレノイドと、
前記自己保持型ソレノイドから前記可動鉄片が離れるように前記駆動レバーを付勢する付勢部材と、
前記可動鉄片が前記自己保持型ソレノイドに当接するように前記駆動レバーを移動させるセット部材と、を備え、
前記セット部材により前記駆動レバーが揺動させられ前記可動鉄片が前記自己保持型ソレノイドに当接する際に、前記自己保持型ソレノイドは通電されて前記吸引力が弱められる、フォーカルプレーンシャッタ。
【請求項２】
前記可動鉄片が前記自己保持型ソレノイドに当接する前に、前記自己保持型ソレノイドへの通電が開始される、請求項１のフォーカルプレーンシャッタ。
【請求項３】
前記セット部材が前記駆動レバーをセットした後であって前記駆動レバーから退避する前に、前記自己保持型ソレノイドの通電は遮断される、請求項１又は２のフォーカルプレーンシャッタ。
【請求項４】
前記駆動レバーの位置を検出可能なセンサを備え、
前記センサの出力によって、前記自己保持型ソレノイドへの通電の開始のタイミングが制御される、請求項１乃至３の何れかのフォーカルプレーンシャッタ。
【請求項５】
前記幕は、先幕及び後幕を有し、
前記駆動レバーは、前記後幕を駆動する、請求項１乃至４の何れかのフォーカルプレーンシャッタ。
【請求項６】
請求項１乃至５の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
自己保持型ソレノイドを用いて幕を駆動するフォーカルプレーンシャッタが知られている。このようなフォーカルプレーンシャッタは、自己保持型ソレノイドの他、駆動レバー、付勢部材、セット部材を備えている。駆動レバーは、可動鉄片を保持し幕を駆動する。自己保持型ソレノイドは、非通電状態で可動鉄片を所定の吸引力で吸着可能であり通電状態で前記吸引力が弱まる。付勢部材は、自己保持型ソレノイドから可動鉄片が離れるように駆動レバーを付勢する付勢部材が設けられている。セット部材は、可動鉄片が自己保持型ソレノイドに当接するように前記駆動レバーを移動させる。特許文献１には、自己保持型ソレノイドを採用したフォーカルプレーンシャッタが開示されている。
【先行技術文献】
【特許文献】
【０００３】
【特許文献１】特開２０１０−１５２０００号公報
【発明の概要】
【発明が解決しようとする課題】
【０００４】
セット部材は、可動鉄片が非通電状態の自己保持型ソレノイドに当接するように駆動レバーを移動させる。その後セット部材は駆動レバーから退避する。自己保持型ソレノイドが可動鉄片を吸着した状態のまま、待機の状態が保持される。レリーズボタンが押されると、所定期間経過後、自己保持型ソレノイドが通電される。これにより、自己保持型ソレノイドの吸引力が弱まり、駆動レバーは付勢部材の付勢力に従って自己保持型ソレノイドから退避する。これにより、幕が駆動される。その後、セット部材が駆動レバーを移動させ、自己保持型ソレノイドが可動鉄片を吸着した状態のまま、待機の状態が再度保持される。
【０００５】
ここで、駆動レバーの可動鉄片と自己保持型ソレノイドのヨークとが当接する部分に、フォーカルプレーンシャッタの製造時に塗布した潤滑油とフォーカルプレーンシャッタの作動時に発生する金属の磨耗粉やホコリ等の微細な不純物が付着した状態で長時間保持されると、駆動レバーの可動鉄片と自己保持型ソレノイドのヨークとが固着しやすい。その結果、再度レリーズボタンが押された後の自己保持型ソレノイドに通電を開始してから駆動レバーが自己保持型ソレノイドから退避するまでの期間にバラつきが生じる恐れがある。これにより、幕の駆動タイミングにバラつきが生じる恐れがある。
【０００６】
そこで本発明は、幕の駆動タイミングのバラつきを抑制するフォーカルプレーンシャッタ及びそれを備えた光学機器を提供することを目的とする。
【課題を解決するための手段】
【０００７】
上記目的は、開口を有した基板と、前記開口を開閉可能な幕と、可動鉄片を保持し揺動可能に支持され前記幕を駆動するための駆動レバーと、非通電状態で前記可動鉄片を所定の吸引力で吸着可能であり通電状態で前記吸引力が弱まる自己保持型ソレノイドと、前記自己保持型ソレノイドから前記可動鉄片が離れるように前記駆動レバーを付勢する付勢部材と、前記可動鉄片が前記自己保持型ソレノイドに当接するように前記駆動レバーを移動させるセット部材と、を備え、前記セット部材により前記駆動レバーが揺動させられ前記可動鉄片が前記自己保持型ソレノイドに当接する際に、前記自己保持型ソレノイドは通電されて前記吸引力が弱められる、フォーカルプレーンシャッタによって達成できる。
【０００８】
これにより、自己保持型ソレノイドのコイルの通電を開始してから可動鉄片が自己保持型ソレノイドから離れるまでの期間のバラつきを抑制できる。これにより、幕の動作のバラつきを抑制できる。
【０００９】
上記目的は、上記フォーカルプレーンシャッタを備えた光学機器によっても達成できる。
【発明の効果】
【００１０】
本発明によれば、幕の駆動タイミングのバラつきを抑制するフォーカルプレーンシャッタ及びそれを備えた光学機器を提供できる。
【図面の簡単な説明】
【００１１】
【図１】図１は、本実施例に係るフォーカルプレーンシャッタの正面図である。
【図２】図２は、フォーカルプレーンシャッタの一部の構成のみを示した正面図である。
【図３】図３は、フォーカルプレーンシャッタの一部の構成のみを示した正面図である。
【図４】図４Ａ、４Ｂは、センサの説明図である。
【図５】図５は、フォーカルプレーンシャッタを備えたカメラのブロック図である。
【図６】図６は、フォーカルプレーンシャッタのタイミングチャートである。
【図７】図７は、フォーカルプレーンシャッタの動作の説明図である。
【図８】図８は、フォーカルプレーンシャッタの動作の説明図である。
【図９】図９は、フォーカルプレーンシャッタの動作の説明図である。
【図１０】図１０は、フォーカルプレーンシャッタの動作の説明図である。
【図１１】図１１は、フォーカルプレーンシャッタの動作の説明図である。
【図１２】図１２は、フォーカルプレーンシャッタの動作の説明図である。
【図１３】図１３は、フォーカルプレーンシャッタの動作の説明図である。
【発明を実施するための形態】
【００１２】
以下、図面を参照して本発明に係る実施例を説明する。
図１は、本実施例に係るフォーカルプレーンシャッタの正面図である。図２、３は、フォーカルプレーンシャッタの一部の構成のみを示した正面図である。尚、図１〜３には一部の部材のみ符号を付している。
【００１３】
図１に示すように、フォーカルプレーンシャッタ１は、基板１０、羽根２１ａ、２１ｂ〜２４ｂ、アーム３１ａ、３２ａ、３１ｂ、３２ｂ、電磁石７０ａ、自己保持型ソレノイド７０ｂ等を有している。基板１０は、樹脂により成形して作られている。そして、基板１０には、矩形状の開口１１を有している。
【００１４】
後幕２０Ｂは、４枚の羽根２１ｂ〜２４ｂから構成される。先幕２０Ａも同様に、４枚の羽根から構成されるが、図１、２に示すように、１枚の羽根２１ａのみを示している。図１〜３は、先幕２０Ａが重畳状態であり後幕２０Ｂが展開状態の場合を示している。図１〜３の場合には、先幕２０Ａは開口１１から退避し、後幕２０Ｂが開口１１を閉鎖している。
【００１５】
図２に示すように、先幕２０Ａはアーム３１ａ、３２ａに連結されている。後幕２０Ｂは、アーム３１ｂ、３２ｂに連結されている。これらアーム３１ａ、３２ａ、３１ｂ、３２ｂは、それぞれ基板１０に揺動自在に支持されている。アーム３１ａ、３１ｂには、それぞれ嵌合孔３３ａ、３３ｂが形成されている。
【００１６】
図３に示すように、基板１０には、アーム３１ａ、３１ｂをそれぞれ駆動するための先幕駆動レバー４０ａ、後幕駆動レバー４０ｂが設けられている。先幕駆動レバー４０ａ、後幕駆動レバー４０ｂは、それぞれ、軸部４５ａ、４５ｂを有している。軸部４５ａ、４５ｂは、基板１０に対して回転可能に支持されている。これにより、先幕駆動レバー４０ａ、後幕駆動レバー４０ｂは、基板１０に所定範囲を揺動可能に支持されている。先幕駆動レバー４０ａ、後幕駆動レバー４０ｂには、それぞれ駆動ピン４３ａ、４３ｂが設けられている。基板１０には、駆動ピン４３ａ、４３ｂの移動をそれぞれ逃す逃げ孔１３ａ、１３ｂが設けられている。逃げ孔１３ａ、１３ｂは、それぞれ円弧状である。駆動ピン４３ａ、４３ｂは、それぞれアーム３１ａの嵌合孔３３ａ、アーム３１ｂの嵌合孔３３ｂと嵌合している。先幕駆動レバー４０ａが揺動することにより、アーム３１ａが揺動し、これにより先幕２０Ａが移動する。同様に、後幕駆動レバー４０ｂが揺動することにより、アーム３１ｂが揺動し、これにより後幕２０Ｂが移動する。
【００１７】
先幕駆動レバー４０ａ、後幕駆動レバー４０ｂは、それぞれ可動鉄片４７ａ、４７ｂを保持している。先幕駆動レバー４０ａは、可動鉄片４７ａが電磁石７０ａに当接した位置から、可動鉄片４７ａが電磁石７０ａから退避した位置の間を揺動可能である。後幕駆動レバー４０ｂについても同様である。軸部４５ａ、４５ｂには、それぞれコイル状の付勢バネ６０ａ、６０ｂが嵌合している。付勢バネ６０ａは、可動鉄片４７ａが電磁石７０ａから離れる方向に先幕駆動レバー４０ａを付勢している。付勢バネ６０ｂも同様に、可動鉄片４７ｂが自己保持型ソレノイド７０ｂから離れる方向に後幕駆動レバー４０ｂを付勢している。
【００１８】
軸部４５ａ、４５ｂには、それぞれラチェット車５０ａ、５０ｂが係合している。ラチェット車５０ａは、付勢バネ６０ａの一端が係合している。付勢バネ６０ａの他端は先幕駆動レバー４０ａに係合している。ラチェット車５０ａの回転量を調整することにより、付勢バネ６０ａの付勢力を調整することができる。ラチェット車５０ｂも、ラチェット車５０ａと同様の機能を有している。
【００１９】
電磁石７０ａは、通電されることにより、可動鉄片４７ａを吸着可能となる。電磁石７０ａは、ヨーク、ヨークに組み付けられたコイルボビン、コイルボビンに巻回されたコイル、を含む。コイルが通電されることにより、ヨークが励磁され、可動鉄片４７ａとの間で磁気的吸引力が生じる。
【００２０】
自己保持型ソレノイド７０ｂは、非通電状態で可動鉄片４７ｂを所定の吸引力で吸着可能であり、通電状態で可動鉄片４７ｂへ作用する吸引力が弱まる。自己保持型ソレノイド７０ｂは、ヨーク、ヨークに取り付けられたコイルボビン、コイルボビンに巻回されたコイル、ヨークに固定された永久磁石７１、を含む。ヨークに永久磁石７１が設けられているので、ヨークも磁石として作用する。これにより、自己保持型ソレノイド７０ｂは、非通電状態でも可動鉄片４７ｂを吸着可能となる。
【００２１】
また、永久磁石７１によりヨークに生じている極性を相殺するようにコイルが通電されると、ヨークと可動鉄片４７ｂとの間に作用する磁気的吸引力が弱まる。したがって、可動鉄片４７ｂが自己保持型ソレノイド７０ｂのヨークに当接した状態において、永久磁石７１によりヨークに生じている極性を相殺するように自己保持型ソレノイド７０ｂのコイルに通電すると、自己保持型ソレノイド７０ｂのヨークと可動鉄片４７ｂとの間の磁気的吸引力が弱まる。これにより、後幕駆動レバー４０ｂは、付勢バネ６０ｂの付勢力に従って揺動する。このようにして、可動鉄片４７ｂを吸着していた自己保持型ソレノイド７０ｂから可動鉄片４７ｂが離れる。
【００２２】
セット部材９０は、先幕駆動レバー４０ａ、後幕駆動レバー４０ｂを所望の位置に位置付けるためのものである。セット部材９０は、基板１０に回転可能に支持された軸部９５を有している。セット部材９０には、セット部材９０を初期位置に復帰するための復帰バネ８０が取り付けられている。復帰バネ８０は、軸部９５に嵌合している。復帰バネ８０は、一端が基板１０に形成された突起部１８に当接している。復帰バネ８０の他端は、セット部材９０に形成された突起部９８に当接している。復帰バネ８０はセット部材９０を反時計方向に付勢している。
【００２３】
後幕駆動レバー４０ｂと同軸上に薄板Ｐが配置されている。薄板Ｐは、薄い板状である。後幕駆動レバー４０ｂには、係合ピン４８ｂが形成されており、係合ピン４８ｂには薄板Ｐが嵌合している。これにより、薄板Ｐは、後幕駆動レバー４０ｂと共に揺動する。また、後幕駆動レバー４０ｂの近傍には、センサＳが配置されている。センサＳは、薄板Ｐの位置を検出可能なセンサである。センサＳは、薄板Ｐの位置を検出することにより、後幕２０Ｂの位置を検出することができる。
【００２４】
図４Ａ、４Ｂは、センサＳの説明図である。センサＳは、基板１０上に配置されている。センサＳは、互いに対向するように配置された発光素子Ｓ２、受光素子Ｓ３を有している。発光素子Ｓ２から照射された光は、受光素子Ｓ３で受光される。図４Ａ、４Ｂに示すように、後幕駆動レバー４０ｂの揺動に応じて、薄板Ｐは、発光素子Ｓ２、受光素子Ｓ３間に移動する。薄板Ｐが発光素子Ｓ２、受光素子Ｓ３間に位置すると、発光素子Ｓ２から照射された光は薄板Ｐにより遮断される。この際に受光素子Ｓ３の出力信号に基づいて、薄板Ｐが発光素子Ｓ２と受光素子Ｓ３との間に位置しているか否かを検出でき、後幕駆動レバー４０ｂの位置を検出することができる。この結果、後幕２０Ｂの位置を検出することができる。
【００２５】
尚、センサＳは上記のような構成に限定されない。例えば、センサＳは、発光素子と、発光素子の光を反射するミラーと、ミラーにより反射された光を受光する受光素子と、を含む構成であってもよい。薄板Ｐが、発光素子とミラーとの間、または、受光素子とミラーとの間に位置することにより、薄板Ｐの位置を検出できる。
【００２６】
フォーカルプレーンシャッタ１を備えたカメラの構成について説明する。図５は、フォーカルプレーンシャッタ１を備えたカメラのブロック図である。カメラは、フォーカルプレーンシャッタ１、駆動機構１５０、制御部３００、撮像素子４００等を備えている。制御部３００は、カメラ全体の動作を制御し、ＣＰＵ、ＲＯＭ、ＲＡＭ等を備えている。尚、カメラは、図５には図示していないが、焦点距離を調整するためのレンズ等を備えている。
【００２７】
制御部３００は、電磁石７０ａ、自己保持型ソレノイド７０ｂのそれぞれのコイルの通電状態を制御する。撮像素子４００は、被写体像を電気信号に変換する。撮像素子４００は、例えばＣＣＤやＣＭＯＳである。駆動機構１５０は、制御部３００からの指令に応じてセット部材９０を駆動する。制御部３００は、詳しくは後述するがセンサＳの出力信号に基づいて、自己保持型ソレノイド７０ｂのコイルの通電を制御する。
【００２８】
駆動機構１５０は、セット部材９０を駆動するレバー１００、周知の技術によりレバー１００を直線上に往復動可能に駆動する正逆回転可能なモータ１２０を備えている。モータ１２０はステッピングモータであり、図示しない輪列を介してレバー１００を駆動する。制御部３００は、モータ１２０の駆動を制御することにより、レバー１００の駆動を制御することができる。これにより、セット部材９０の回転が制御される。制御部３００は、モータ１２０の回転速度を制御することにより、レバー１００の駆動速度を制御することができる。これにより、セット部材９０の回転速度を制御することができる。
【００２９】
次に、フォーカルプレーンシャッタ１の動作について説明する。図６は、フォーカルプレーンシャッタ１のタイミングチャートである。図７〜１３は、フォーカルプレーンシャッタ１の動作の説明図である。尚、図７〜１３においては、一部構成を省略してある。図１〜３は、露光作動終了直後の状態を示している。
【００３０】
図１〜３に示された露光作動終了の状態から、図３に図示するレバー１００が駆動されることにより、セット部材９０が復帰バネ８０の付勢力に抗して、時計方向へ回転させられる。これにより、セット部材９０は、先幕駆動レバー４０ａ、後幕駆動レバー４０ｂのそれぞれに設けられたローラ４９ａ、４９ｂに当接して、先幕駆動レバー４０ａ、後幕駆動レバー４０ｂを反時計方向に揺動させる。これにより、先幕２０Ａは展開して開口１１を閉鎖するように移動する。後幕２０Ｂは、開口１１から退避するように移動する。後幕駆動レバー４０ｂが反時計方向に揺動することにより、薄板Ｐも反時計方向に揺動する。
【００３１】
薄板Ｐが反時計方向に揺動することにより、薄板ＰがセンサＳにより検出される。図７は、センサＳにより薄板Ｐが検出され始める状態でのフォーカルプレーンシャッタ１を示している。後幕２０Ｂが開口１１から完全に退避する前であり可動鉄片４７ｂが自己保持型ソレノイド７０ｂに当接する前に、センサＳにより薄板Ｐが検出される。図７に示すように、センサＳにより薄板Ｐが検出される際には、羽根２１ｂが開口１１の一部を覆っている。センサＳにより薄板Ｐが検出されると制御部３００は、永久磁石７１によりヨークに生じている極性を相殺するように自己保持型ソレノイド７０ｂのコイルに通電する。このように、制御部３００はセンサＳの出力により自己保持型ソレノイド７０ｂのコイルに通電する。
【００３２】
更に、セット部材９０が時計方向に回転すると、先幕駆動レバー４０ａ、後幕駆動レバー４０ｂが更に反時計方向に揺動する。図８に示すように、先幕２０Ａが開口１１を閉鎖し、後幕２０Ｂが開口１１から退避する。この状態において、可動鉄片４７ａ、４７ｂは、それぞれ電磁石７０ａ、自己保持型ソレノイド７０ｂに当接する。
【００３３】
可動鉄片４７ｂが自己保持型ソレノイド７０ｂに当接する際には、上述した、永久磁石７１によりヨークに生じている極性を相殺するように自己保持型ソレノイド７０ｂのコイルが通電される状態が維持されている。また、後述するが、セット部材９０が後幕駆動レバー４０ｂから退避する前に自己保持型ソレノイド７０ｂのコイルへの通電が遮断される。自己保持型ソレノイド７０ｂのコイルに通電されることにより、可動鉄片４７ｂが自己保持型ソレノイド７０ｂに当接する際に可動鉄片４７ｂに作用する、自己保持型ソレノイド７０ｂの磁気的吸引力を低減することができる。可動鉄片４７ｂが自己保持型ソレノイド７０ｂに当接する際に自己保持型ソレノイド７０ｂの吸引力を弱める理由については、後述する。
【００３４】
自己保持型ソレノイド７０ｂのコイルへ通電されて可動鉄片４７ｂが自己保持型ソレノイド７０ｂに当接した後であってセット部材９０が後幕駆動レバー４０ｂから退避する前に、制御部３００は自己保持型ソレノイド７０ｂのコイルへの通電を遮断する。その後に、制御部３００は、レバー１００をセット部材９０から退避させる。これにより、セット部材９０は、復帰バネ８０の付勢力に従って先幕駆動レバー４０ａ、後幕駆動レバー４０ｂから退避するように反時計方向に揺動する。後幕駆動レバー４０ｂへの通電は既に遮断されているので、可動鉄片４７ｂは自己保持型ソレノイド７０ｂのヨークに吸着保持された状態に維持される。一方、電磁石７０ａには通電されていないので、先幕駆動レバー４０ａは付勢バネ６０ａの付勢力に従って時計方向に揺動する。これにより、図９に示すように、先幕２０Ａ、後幕２０Ｂが開口１１から退避して開口１１が開放状態となる。フォーカルプレーンシャッタ１は、図６のタイミングチャートに示した待機の状態となる。尚、この待機の状態においては、電磁石７０ａ、自己保持型ソレノイド７０ｂ共に通電されていない、開放状態の無通電保持が可能となっている。
【００３５】
その後、撮影に際して、カメラのレリーズボタンが押されると、レバー１００によりセット部材９０が再度時計方向に回転し、先幕駆動レバー４０ａを反時計方向に揺動させる。これにより、図１０に示すように、開口１１が先幕２０Ａにより閉じられる。また、電磁石７０ａに通電が開始されて、可動鉄片４７ａは電磁石７０ａに吸着保持される。
【００３６】
その後、図１１に示すように、レバー１００がセット部材９０から退避する。電磁石７０ａは通電されているので、先幕２０Ａが開口１１を閉じた状態が所定期間維持される。
【００３７】
次に、電磁石７０ａの通電が遮断されて、先幕駆動レバー４０ａは付勢バネ６０ａの付勢力に従って時計方向に揺動する。これにより、図１２に示すように、先幕２０Ａが開口１１から退避する。また、後幕２０Ｂは開口１１から退避した状態に維持される。これにより、開口１１は開いた状態となる。図１２は、露出中の状態を示している。
【００３８】
レリーズボタンが押されてから所定期間経過後に自己保持型ソレノイド７０ｂのコイルが通電され、自己保持型ソレノイド７０ｂと可動鉄片４７ｂとの間に作用する磁気的吸引力が弱まり、付勢バネ６０ｂの付勢力により後幕駆動レバー４０ｂが時計方向に揺動する。これにより、図１３に示すように、後幕２０Ｂは開口１１を閉鎖する。図１３は、露光作動を終了した直後の状態を示している。図１３に示した状態は、図１〜３に示した状態と同じである。これにより１回の撮影が終了する。自己保持型ソレノイド７０ｂのコイルへの通電は、通電開始から所定期間経過後に遮断される。尚、後幕駆動レバー４０ｂが反時計方向に揺動することにより、薄板ＰがセンサＳから退避してセンサＳの出力値も変化する。図１２に示した、開口１１を全開にした状態は、写真撮影時のみならず、例えば動画撮影時においてもこのような状態が形成される。
【００３９】
ここで、可動鉄片４７ｂが自己保持型ソレノイド７０ｂに当接する際に自己保持型ソレノイド７０ｂの吸引力を弱める理由について説明する。前述したように、セット部材９０により後幕駆動レバー４０ｂが揺動させられて可動鉄片４７ｂが自己保持型ソレノイド７０ｂのヨークに当接する。可動鉄片４７ｂが自己保持型ソレノイド７０ｂに当接する前から自己保持型ソレノイド７０ｂのコイルへの通電をしない場合、すなわち、自己保持型ソレノイド７０ｂの磁気的吸引力が大きい場合、可動鉄片４７ｂが自己保持型ソレノイド７０ｂに当接する直前に可動鉄片４７ｂは磁気的吸引力により自己保持型ソレノイド７０ｂのヨークに吸引される。これにより、可動鉄片４７ｂが自己保持型ソレノイド７０ｂに移動する速度は、可動鉄片４７ｂが自己保持型ソレノイド７０ｂに当接する直前で速くなる。一方、可動鉄片４７ｂが自己保持型ソレノイド７０ｂに当接する前から自己保持型ソレノイド７０ｂのコイルへの通電を開始させた場合、すなわち、自己保持型ソレノイド７０ｂの磁気的吸引力が小さい場合、この磁気的吸引力は可動鉄片４７ｂが自己保持型ソレノイド７０ｂに移動する速度にはほとんど影響しない。従って、自己保持型ソレノイド７０ｂの磁気的吸引力が大きい場合、磁気的吸引力が小さい場合と比較し、可動鉄片４７ｂが自己保持型ソレノイド７０ｂに移動する速度が速くなる。
【００４０】
ここで、自己保持型ソレノイド７０ｂのヨークと可動鉄片４７ｂとが当接する部分にフォーカルプレーンシャッタの作動時に発生する金属粉が付着している場合、付着していない場合と比較して、自己保持型ソレノイド７０ｂのコイルの通電を開始してから可動鉄片４７ｂがヨークから離れるまでの期間が長くなる傾向がある。これは製造時に塗布した潤滑油が、可動鉄片４７ｂとヨーク間に付着した金属粉やホコリ等の微細な不純物を介在して接着剤の役割を果たして可動鉄片とヨークとが当接する部分に付着し、永久磁石７１の吸着力により常時当接面を押し付け合うことにより、駆動レバーの可動鉄片４７ｂと自己保持型ソレノイド７０ｂのヨークとが固着しやすくなるためと考えられる。また、可動鉄片４７ｂとヨークとが当接する速度が速いほど、可動鉄片４７ｂとヨークとの接着の効果が大きくなる。従って、ヨークに付着している金属粉やホコリの付着量や潤滑油の量に応じて、自己保持型ソレノイド７０ｂのコイルの通電を開始してから可動鉄片４７ｂがヨークから離れるまでの期間にバラつきが生じる。
【００４１】
また、図９に示す待機の状態は、カメラへの電源投入時の状態をも示している。すなわち、電磁石７０ａ、自己保持型ソレノイド７０ｂ共に通電されていない待機の状態で保存されたカメラに電源が投入された後、撮影に際してカメラのレリーズボタンが押された場合も同様に、上述したフォーカルプレーンシャッタ１の撮影動作がおこなわれる。すなわち、レバー１００によりセット部材９０が再度時計方向に回転し、先幕駆動レバー４０ａを反時計方向に揺動させ、開口１１が先幕２０Ａにより閉じられた後、電磁石７０ａに通電が開始されて可動鉄片４７ａが電磁石７０ａに吸着保持され、レバー１００がセット部材９０から退避する。次に、電磁石７０ａの通電が遮断されて、先幕駆動レバー４０ａにより先幕２０Ａを開口１１から退避させる。その後、レリーズボタンが押されてから所定期間経過後に自己保持型ソレノイド７０ｂと可動鉄片４７ｂとの間に作用する磁気的吸引力が弱まるように自己保持型ソレノイド７０ｂのコイルが通電され、後幕駆動レバー４０ｂにより後幕２０Ｂが開口１１を閉鎖する。したがって、長期間カメラ動作をさせていない場合は可動鉄片４７ｂとヨークとの接着の効果が大きくなり、特に、電源投入後の１回目の撮影時において、自己保持型ソレノイド７０ｂのコイルの通電を開始してから可動鉄片４７ｂがヨークから離れるまでの期間が長くなる可能性がある。
【００４２】
本実施例では、可動鉄片４７ｂが自己保持型ソレノイド７０ｂのヨークに当接する際に、ヨークの磁気的吸引力が弱まるようにコイルに通電する。これにより、可動鉄片４７ｂとヨークとが当接する速度を抑えることができ、製造時に塗布した潤滑油と可動鉄片４７ｂとヨーク間に付着した金属粉やホコリ等の微細な不純物による、可動鉄片４７ｂとヨークとの接着の効果を低減することができる。また同様に、カメラの電源投入後の１回目の撮影時であっても、すなわち、可動鉄片４７ｂが自己保持型ソレノイド７０ｂのヨークに当接している状態が長期間継続していても、可動鉄片４７ｂとヨークとの接着の効果を低減することができる。したがって、自己保持型ソレノイド７０ｂのコイルの通電を開始してから可動鉄片４７ｂがヨークから離れるまでの期間のバラつきを抑制できる。これにより、幕の駆動タイミングのバラつきを抑制して露出時間のバラつきを抑制することができる。
【００４３】
以上本発明の好ましい実施形態について詳述したが、本発明は係る特定の実施形態に限定されるものではなく、特許請求の範囲に記載された本発明の要旨の範囲内において、変形・変更が可能である。
【００４４】
本実施例のフォーカルプレーンシャッタは、スチールカメラやデジタルカメラなどの光学機器に採用できる。
【００４５】
上記実施例においては、羽根が合成樹脂製である場合を説明したが、薄く形成された金属製の羽根であってもよい。
【００４６】
上記実施例において、先幕及び後幕は、それぞれ４枚の羽根から構成されるが、これに限定されない。先幕及び後幕は、それぞれ２枚〜５枚の何れであってもよい。
【００４７】
先幕２０Ａを駆動するための電磁石７０ａの代わりに、自己保持型ソレノイドを用いてもよい。
【００４８】
センサＳは、薄板Ｐにより発光素子Ｓ２から受光素子Ｓ３に向かう光が遮断されることにより、後幕駆動レバー４０ｂの位置を検出するものであるが、このような構成に限定されない。例えば、後幕２０Ｂの走行に伴い、受光素子から発光素子に向かう光を羽根２１ｂが遮断するような位置にセンサを設けてもよい。
【００４９】
上記実施例において、通電されることにより自己保持型ソレノイド７０ｂの磁気的吸引力は弱められるが、非通電状態での自己保持型ソレノイド７０ｂでの磁気的吸引力よりも、通電状態での自己保持型ソレノイド７０ｂの磁気的吸引力が小さければ、通電時での自己保持型ソレノイド７０ｂの磁気的吸引力の大きさは問わない。従って、自己保持型ソレノイド７０ｂの磁気的吸引力が略ゼロとなるように通電されてもよいし、非通電時よりも通電時の方が磁気的吸引力が若干小さい程度であってもよい。
【符号の説明】
【００５０】
１  フォーカルプレーンシャッタ
１０  基板
２０Ａ  先幕
２０Ｂ  後幕
２１ａ、２１ｂ  羽根
３１ａ、３２ａ、３１ｂ、３２ｂ  アーム
４０ａ  先幕駆動レバー
４０ｂ  後幕駆動レバー
４７ａ、４７ｂ  可動鉄片
７０ａ  電磁石
７０ｂ  自己保持型ソレノイド
Ｓ  センサ
Ｐ  薄板
【図１】
2012118143.tif 000003
【図２】
2012118143.tif 000004
【図３】
2012118143.tif 000005
【図４】
2012118143.tif 000006
【図５】
2012118143.tif 000007
【図６】
2012118143.tif 000008
【図７】
2012118143.tif 000009
【図８】
2012118143.tif 000010
【図９】
2012118143.tif 000011
【図１０】
2012118143.tif 000012
【図１１】
2012118143.tif 000013
【図１２】
2012118143.tif 000014
【図１３】
2012118143.tif 000015